(57)【特許請求の範囲】
【請求項１】
表面に信号線が形成されている基板と、前記基板の前記表面に相対して設置され、前記基板に相対する面の反対側の面に、複数の操作位置を示す情報が表示されている絶縁シートとを備えた入力装置であって、
予め定められた低周波から高周波領域まで周波数を連続的に変化させた信号を常時出力する信号発信手段と、
前記信号発信手段からの出力信号を前記信号線に出力し、前記信号線からの反射波を信号検出手段に出力する方向結合手段と、
前記方向結合手段が出力した反射波を検出する前記信号波検出手段と、
前記信号発生手段が周波数を連続的に変化させて出力した信号の信号強度と、前記信号検出手段が検出した反射波信号強度を比較して周波数領域反射率を算出し、前記周波数領域反射率を逆フーリエ変換して時間領域反射率を導出し、操作がなされた操作位置を判別する演算手段とを含む
ことを特徴とする入力装置。
【請求項２】
前記基板には、前記絶縁シートにおける操作位置の近傍を通過するように、前記信号線が形成され、前記信号線に平行して接地電位のグラウンド線が形成されている
請求項１記載の入力装置。
【請求項３】
前記基板には、前記絶縁シートにおける操作位置の近傍を通過する部分と、他の操作位置の近傍を通過する部分との距離が長くなるように前記信号線が形成されている
請求項１または請求項２記載の入力装置。
【請求項４】
前記演算手段は、前記時間領域反射率測定の結果であるＴＤＲ（Ｔｉｍｅ  Ｄｏｍａｉｎ  Ｒｅｆｌｅｃｔｏｍｅｔｒｙ）結果にもとづいて、操作がなされた操作位置を判別する請求項１から請求項３のうちいずれか１項記載の入力装置。
【請求項５】
前記ＴＤＲ結果と、入力された指示とを対応づけるテーブルを予め記憶している記憶手段を含み、
前記演算手段は、前記記憶手段が記憶されているテーブルと前記ＴＤＲ結果とにもとづいて、入力された指示を特定する
請求項４記載の入力装置。
【請求項６】
前記基板には、円状の部分を有するように信号線が形成され、
前記演算手段は、前記結果の変化にもとづいて、前記絶縁シートになされた操作を判別する
請求項４または請求項５記載の入力装置。
【請求項７】
表面に信号線が形成されている基板と、前記基板の前記表面に相対して設置され、前記基板に相対する面の反対側の面に、複数の操作位置を示す情報が表示されている絶縁シートとを備えた入力装置を用いた入力方法であって、
信号発信手段が、予め定められた低周波から高周波領域まで周波数を連続的に変化させた信号を常時前記信号線出力する信号出力ステップと、
前記信号出力ステップで前記信号発信手段が出力した信号の反射波を方向結合手段を介して反射波検出手段に入力し前記反射波を検出する反射波検出ステップと、
演算手段が、前記信号発生手段で周波数を連続的に変化させて出力した信号の信号強度と、前記反射波検出手段が検出した反射波信号強度を比較して周波数領域反射率を算出し、前記周波数領域反射率を逆フーリエ変換して時間領域反射率を導出し、操作がなされた操作位置を判別する演算ステップとを含む
ことを特徴とする入力方法。
【請求項８】
予め定められた所定箇所にキーが割り当付けられた絶縁部材と、
前記絶縁部材のキー割付箇所に対応した位置を通るように布線され、一端が終端された信号線を、前記絶縁部材に対向する側に備えた基板と、
前記信号線の他端側から、予め定められた低周波から高周波領域まで周波数を連続的に変化させた信号を供給した状態で、前記絶縁部材のキー割付箇所が操作されると、前記指の動きに応じて、インピーダンス不整合により前記信号線に生じる反射波を方向結合手段を介して入力し前記反射波を検出する反射波検出手段と、
前記信号線の他端側に供給する信号の信号強度と、前記反射波検出手段が検出した反射波信号強度を比較して周波数領域反射率を算出し、前記周波数領域反射率を逆フーリエ変換して時間領域反射率を導出し、操作されたキーを判別する演算手段を備えた入力装置。
【請求項９】
前記信号線が、前記絶縁部材に設けられた円盤状のキー操作部に対応して、ループ状に布線された箇所を含み、
前記信号線の他端側から前記信号を供給した状態で、前記絶縁部材の前記円盤状のキー操作部を操作者が指で操作すると、前記演算手段は、前記指の動きに応じて前記信号線に生じる前記反射波に基づいて、前記操作者の指の動きを判別する、請求項８記載の入力装置。
【請求項１０】
前記絶縁部材は、前記反対側の面の操作位置を示す情報の表示位置に対応して、前記基板に相対する面に、凹部を備え、
前記信号線は、前記基板上、前記絶縁部材の前記凹部に対応する位置を通るように布線される、請求項８記載の入力装置。
【請求項１１】
前記絶縁部材が、前記基板表面上に配設されるフィルムよりなる、請求項８記載の入力装置。
【請求項１２】
前記信号線は、前記基板上、前記絶縁部材の前記キー割付箇所の近傍を通過する部分に、屈曲部を有する、請求項８記載の入力装置。
【発明の詳細な説明】
【技術分野】
【０００１】
本発明は、薄型の入力装置および入力方法に関する。
【背景技術】
【０００２】
図１１は、携帯端末に用いられる従来の操作部におけるキー部の構成を示す説明図である。図１１（ａ）には、従来のキー部の上面図が例示されている。図１１（ｂ）には、従来のキー部の断面図が例示されている。【０００３】
図１１に示すキー部は、基板６に相対して電気的に絶縁されて設置され、基板６に対して凹部を有する弾性のあるキーシートと、その凹部に粘着シート等で固定された金属板９とを含む。【０００４】
また、図１１（ｂ）に示すように、金属板９の端部は基板６上に形成されたパッド面７に接し、金属板９の中央部は基板６に対して遠近方向に変位可能なように設置される。そして、金属板９の中心部が基板６に向かって押下されると、金属板９の中心部は、基板６上に形成されたパッド面８に接する。図１２は、金属板９の中心部が押下された状態を示す説明図である。【０００５】
そして、金属板９がパッド面８に接して電気的に導通すると、携帯端末の制御部は、キー部が押下されたことを検出する。【０００６】
なお、特許文献１には、基板の一方の面に圧電素子が設けられ、その基板の他方の面に指が接触した場合に変化する基板内の超音波を検出して、指の接触を検出するスイッチが記載されている。【０００７】
【特許文献１】特開平７−２８２６９９号公報（段落００１８〜００４３、図１）
【発明の開示】
【発明が解決しようとする課題】
【０００８】
携帯端末の薄型化に伴い、複数のキーを含むキー部にも薄型化が求められている。しかし、図１１および図１２に示す従来のキー部の構造では、押下されていない状態で金属板９とパッド面８とが電気的に導通しないように、金属板９の中央部とパッド面８との間に隙間を設けなければならない。そのために、操作部を薄型化することは難しい。その結果、携帯端末の薄型化が妨げられてしまう。【０００９】
さらに、金属板９の中央部とパッド面８との接触不良を防ぐために、金属板９の中央部とパッド面８との間の隙間に異物や水が入り込まないようにすることが望ましい。隙間に異物等が入らないようにするために、例えば、キー部の組み立て工程をクリーンルーム内で行ったり、出荷後に隙間に異物が入らないようにキー部を構成したりしなければならない。【００１０】
また、キー部を薄型化するために金属板９を薄くすると、金属板９の強度が低下して破損するおそれがあるという問題がある。【００１１】
なお、特許文献１に記載されているスイッチには、基板の一方の面に圧電素子が設けられているので、薄型化が困難である。【００１２】
そこで、本発明は、接触不良の発生を防ぎ、薄型にすることができる入力装置および入力方法を提供することを、主たる目的とする。
【課題を解決するための手段】
【００１３】
本発明による入力装置は、表面に信号線が形成されている基板と、基板の表面に相対して設置され、基板に相対する面の反対側の面に、複数の操作位置を示す情報が表示されている絶縁シートとを備えた入力装置であって、信号線に信号を出力する信号発信手段と、信号発信手段が出力した信号の反射波を検出する反射波検出手段と、反射波検出手段が検出した反射波にもとづいて、操作がなされた操作位置を判別する演算手段とを含むことを特徴とする。【００１４】
本発明において、前記基板には、前記絶縁シートにおける操作位置の近傍を通過するように前記信号線が形成され、前記信号線に平行して接地電位のグラウンド線を形成するようにしてもよい。【００１５】
本発明においては、前記基板には、前記絶縁シートにおける操作位置の近傍を通過する部分と、他の操作位置の近傍を通過する部分との距離が長くなるように前記信号線を形成するようにしてもよい。【００１６】
本発明において、前記演算手段は、前記信号発信手段が出力した信号の信号強度と、前期反射波検出手段が検出した反射波の信号強度とにもとづいて、操作がなされた操作位置を判別してもよい。【００１７】
本発明において、前記演算手段は、前記信号発信手段が出力した信号の信号強度と、前期反射波検出手段が検出した反射波の信号強度とにもとづいて時間領域反射率測定を行い、時間領域反射率測定の結果にもとづいて、操作がなされた操作位置を判別してもよい。【００１８】
本発明において、時間領域反射率測定（ＴＤＲ）結果と、入力された指示とを対応づけるテーブルを予め記憶している記憶手段を含み、前記演算手段は、記憶手段が記憶しているテーブルとＴＤＲ結果とにもとづいて、入力された指示を特定してもよい。【００１９】
本発明においては、前記基板には、円状の部分を有するように前記信号線が形成され、前記演算手段は、ＴＤＲ結果の変化にもとづいて、絶縁シートになされた操作を判別してもよい。【００２０】
本発明による入力方法は、表面に信号線が形成されている基板と、基板の表面に相対して設置され、基板に相対する面の反対側の面に、複数の操作位置を示す情報が表示されている絶縁シートとを備えた入力装置を用いた入力方法であって、信号発信手段が、信号線に信号を出力する信号出力ステップと、信号出力ステップで信号発信手段が出力した信号の反射波を、反射波検出手段が検出する反射波検出ステップと、反射波検出ステップで、反射波検出手段が検出した反射波にもとづいて、演算手段が、操作がなされた操作位置を判別する演算ステップとを含むことを特徴とする。
【発明の効果】
【００２１】
本発明によれば、接触不良の発生を防ぎ、薄型にすることができる、という効果を奏する。その理由は、本発明においては、入力装置が機械的スイッチ構造を有しないので、入力装置を薄型化することができ、異物等の侵入等による、接触不良の発生を防ぐことができるためである。【００２２】
本発明において、基板に、操作位置の近傍を通過するように信号線とグラウンド線とが平行して形成されている場合には、信号線とグラウンド線とでコプレーナ線路を構成するので、操作位置にユーザの指が接触等した場合に、信号発信手段が出力した信号の反射波が生じ、反射波検出手段がその反射波を検出することができる。【００２３】
本発明において、基板に、絶縁シートにおける操作位置の近傍を通過する部分と、他の操作位置の近傍を通過する部分との距離が長くなるように信号線が形成されている場合には、各操作位置間の距離を擬似的に長くして、信号発信手段が出力する信号の周波数を低くすることができる。【００２４】
本発明において、基板に、円状の部分を有するように信号線が形成され、演算手段が、ＴＤＲ結果の変化にもとづいて、入力された指示を特定するように構成されている場合には、入力装置は、ユーザの指の移動に応じた指示の入力に対応することができる。
【図面の簡単な説明】
【００２５】
【図１】本発明の実施の形態のキー入力装置の構成例を示す斜視図である。
【図２】電気信号の通信路の構造を示す斜視図である。
【図３】マイクロコンピュータモジュールの構成例を示すブロック図である。
【図４】コプレーナ線路にインピーダンス不整合が生じていない場合のＴＤＲ波形を示す説明図である。
【図５】インピーダンスの変化を示す説明図である。
【図６】メモリが記憶しているキーマップの一例を示す説明図である。
【図７】基板とキーシートとの断面を示す説明図である。
【図８】押下されたキーシートの断面を示す説明図である。
【図９】フィルムが設置された場合のキー入力装置を示す斜視図である。
【図１０】コプレーナ線路の一部が円形に形成されているキー入力装置を示す斜視図である。
【図１１】携帯端末に用いられる従来のキー部の構成を示す説明図である。
【図１２】金属板の中心部が押下された状態を示す説明図である。
【符号の説明】
【００２６】
１  キーシート
２  キーの位置
３  マイクロコンピュータモジュール
４  終端抵抗
５  コプレーナ線路
６  基板
７、８  パッド面
９  金属板
１０  信号線
１１  グラウンド線
１２  グラウンド層
１３  外部導体
１４  誘電体
１５  内部導体
１６  信号発信器
１７  方向性結合器
１８  信号検波器
１９  演算器
２０  メモリ
２１  インタフェース線
２２  円形に形成されている部分
２３  フィルム２３
【発明を実施するための最良の形態】
【００２７】
本発明の実施の形態について、図面を参照して説明する。図１は、本発明の実施の形態のキー入力装置（入力装置）の構成例を示す斜視図である。【００２８】
図１に示すキー入力装置は、シリコンゴム等を主成分とした弾性のあるキーシート（絶縁シート）１と、コプレーナ線路５が形成されている基板６とを含む。【００２９】
キーシート１がテンキーに適用される場合、キーシート１の一方の面には数字等が印刷され、他方の面における一方の面に印刷されている数字等に対応する部分には円錐形状または円筒形状の凹部が設けられる。つまり、キーシート１の一方の面に設けられている凹部の位置は、キーシート１に印刷されている数字等のキーの位置２に対応する。【００３０】
基板６のコプレーナ線路５の一端には終端抵抗４が設置され、他端にはマイクロコンピュータモジュール３が設置されている。コプレーナ線路５は、キーシート１に印刷されている数字等の各キーの近傍を通過するように形成されている。そして、基板６には、マイクロコンピュータモジュール３と他のモジュール等との接続のため、インタフェース線２１が形成されている。【００３１】
図２は、電気信号の通信路の構造を示す斜視図である。図２（ａ）に示すコプレーナ線路は、基板６の一方の面に形成された信号線１０と、信号線１０に平行して配置され、信号線１０と同じ断面積になるように形成されている接地電位のグラウンド線１１とを含む。【００３２】
図２（ｂ）に示すマイクロストリップ線路は、基板６の一方の面に信号線１０が形成され、他方の面に接地電位のグラウンド層１２が形成された構造である。【００３３】
図２（ｃ）に示す同軸線路は、円筒形の線路の中心に内部導体（信号線）１５が設けられ、円筒形の線路の外縁部に外部導体１３が設けられ、内部導体１５と外部導体１３との間に誘電体１４が充填された構造である。【００３４】
図３は、マイクロコンピュータモジュール３における信号の送受と演算とに関する部分の構成例を示すブロック図である。図３に示すマイクロコンピュータモジュール３は、方向性結合器１７、信号発信器（信号発信手段）１６、信号検波器（反射波検出手段）１８、演算器（演算手段）１９、およびメモリ（記憶手段）２０を含む。マイクロコンピュータモジュール３は、反射波を時間領域で直接観測する手法である時間領域反射率測定法（ＴＤＲ：Ｔｉｍｅ  Ｄｏｍａｉｎ  Ｒｅｆｌｅｃｔｏｍｅｔｒｙ）を用いて、コプレーナ線路５におけるインピーダンス不整合があった位置を検出することによって、入力された指示を特定する。【００３５】
信号発信器１６は、例えば、３０ｋＨｚから３ＧＨｚまで周波数を変化させながら信号を出力する。また、信号発信器１６は、出力した信号の強度を示す発信信号強度情報を演算器１９に出力する。方向性結合器１７は、信号発信器１６が出力した信号をコプレーナ線路５に出力し、コプレーナ線路５から出力された反射波を信号検波器１８に出力する。【００３６】
信号検波器１８は、方向性結合器１７が出力した反射波を検波して、反射波が含む信号の信号強度を示す情報である受信信号強度情報を演算器１９に出力する。演算器１９は、発信信号強度情報と、受信信号強度情報とにもとづいて周波数領域反射率を算出し、算出した周波数領域反射率を逆フーリエ変換して時間領域反射率を算出する。なお、周波数領域反射率とは、信号発信器１６が出力した各周波数の信号の信号強度に対する反射波が含む信号の信号強度の割合である。また、時間領域反射率とは、信号発信器１６が出力した信号の反射波の時間に対する変化の割合である。【００３７】
メモリ２０は、時間領域反射率にもとづいてコプレーナ線路５におけるインピーダンス不整合があった位置を測定するために、インピーダンス不整合がない場合のＴＤＲ波形を記憶している。また、メモリ２０は、信号発信器１６が信号を出力してからインピーダンス不整合が生じるまでの時間（コプレーナ線路５のインピーダンスが変化するまでの時間）と、その時間に対応するマイクロコンピュータモジュール３の方向性結合器１７からインピーダンス不整合が生じた位置までの距離と、その距離に対応するキーとを対応づけるキーマップを記憶している。【００３８】
図４は、コプレーナ線路５にインピーダンス不整合が生じていない場合のＴＤＲ波形を示す説明図である。コプレーナ線路５にインピーダンス不整合が生じていない場合、信号発信器１６が出力した信号の反射波が生じない。そのため、図４に示すように、横軸を時間、縦軸をインピーダンスとして表した場合、平坦なＴＤＲ波形が得られる。【００３９】
図５は、コプレーナ線路５のインピーダンスの変化を示す説明図である。図５に示す例では、信号発信器１６が信号を出力してからＬ秒後にインピーダンスが変化していることを示している。図６は、メモリ２０が記憶しているキーマップの一例を示す説明図である。図６に示す例では、信号発信器１６が信号を出力してから２ｔ秒後にインピーダンスが変化した場合、マイクロコンピュータモジュール３からの距離が２ｌの位置でインピーダンス不整合が発生し、その位置に「１」キーが対応していることを示している。【００４０】
コプレーナ線路５の特性インピーダンスは、信号線１０とグラウンド線１１との幅および厚さによって決定される。コプレーナ線路５を構成する信号線１０とグラウンド線１１とは、特性インピーダンスを一様にするために、それぞれ１本の線で形成される。また、コプレーナ線路５は、ＴＤＲの分解能を考慮して、基板６上に屈曲して形成される。【００４１】
基板６においてコプレーナ線路５が形成される経路について説明する。一般的な携帯端末の各キー間の距離は１０ｍｍ程度である。従って、キー入力装置を携帯端末に搭載するためには、ＴＤＲの分解能を１０ｍｍ未満にしなければならない。また、ＴＤＲの分解能は、信号発信器１６が出力する信号のうちの最も周波数が高い信号の波長の１／４であるとされている。従って、信号発信器１６は、７．５ＧＨｚの周波数の信号を出力しなければならない。【００４２】
しかし、高い周波数の信号は直進性が強いので、コプレーナ線路５から信号が放射されてしまうおそれがある。そこで、信号発信器１６が出力する信号の周波数を低くするために、基板６においてコプレーナ線路５の経路を屈曲して形成し、各キー間の距離を擬似的に長くしている。つまり、コプレーナ線路５は、キーシート１における各キーの近傍を通過する部分の間の距離を長くするために、屈曲して形成されている。【００４３】
図７は、基板６とキーシート１との断面を示す説明図である。基板６のキーシート１に相対する面には、信号線１０とグラウンド線１１とが形成されている。信号線１０とグラウンド線１１との導体部分の幅および高さは一様である。なお、信号線１０およびグラウンド線１１の導体部分の幅および高さと、信号線１０の近傍のキーシート１の断面形状とは、コプレーナ線路５（図１参照）の特性インピーダンスがどの部分でも同じになるように設定されている。つまり、キーシート１が押下等されない場合には、信号線１０とグラウンド線１１よりなるコプレーナ線路５には、インピーダンス不整合が生じない。すなわち、図７に示すように、基板６の表面上、キーシート１の基板６に相対する面側に設けられた凹部を通るように布線された、信号線１０とグラウンド線１１よりなるコプレーナ線路に関して、キーシート１が押下等されない状態では、キーシート１の基板対向面との間に間隙が存在している。【００４４】
図７に示す例では、キーシート１が押下等されていないので、コプレーナ線路５にインピーダンス不整合が生じない。そのため、信号発信器１６が出力した信号は終端抵抗４で消費され、反射波は生じない。【００４５】
図８は、押下されたキーシート１の断面を示す説明図である。図８に示すようにキーシート１が押下されると、誘電体であるキーシート１は変形し（撓み）、信号線１０とグラウンド線１１よりなるコプレーナ線路５（図１参照）に当接し、コプレーナ線路の周辺の誘電率が変化する。そのため、コプレーナ線路にインピーダンス不整合が生じる。そして、コプレーナ線路５におけるインピーダンス不整合が生じた位置で、マイクロコンピュータモジュール３（図１参照）が出力した信号の反射波が生じる。マイクロコンピュータモジュール３が出力した信号の反射波は、コプレーナ線路５をマイクロコンピュータモジュール３に向かって進行する。【００４６】
次に、図３を参照して、図１のマイクロコンピュータモジュール３の動作について説明する。信号発信器１６は、低周波数（例えば、３０ｋＨｚ）から高周波数（例えば、３ＧＨｚ）まで、周波数を連続的に変化させて信号を常に出力している（ステップＳ１０１）。そして、信号発信器１６は、出力した信号の強度を示す情報である発信信号強度情報を、演算器１９に出力する（ステップＳ１０２）。【００４７】
方向性結合器１７は、信号発信器１６が出力した信号を、コプレーナ線路５に出力する（ステップＳ１０３）。そして、コプレーナ線路５（図１参照）にインピーダンス不整合が生じていた場合に、方向性結合器１７には、コプレーナ線路５から反射波が出力される（ステップＳ１０４）。方向性結合器１７は、出力された反射波を信号検波器１８に出力する（ステップＳ１０５）。信号検波器１８は、方向性結合器１７が出力した反射波を検波して、反射波が含む信号の強度を示す情報である受信信号強度情報を演算器１９に出力する（ステップＳ１０６）。【００４８】
図３の演算器１９は、信号発信器１６が出力した発信信号強度情報と、信号検波器１８が出力した受信信号強度情報とにもとづいて、周波数領域反射率を算出する。そして、演算器１９は、算出した周波数領域反射率を逆フーリエ変換し、ＴＤＲの結果（ＴＤＲ波形）を得る。【００４９】
コプレーナ線路５にインピーダンス不整合が生じた場合、信号発信器１６が出力した信号の反射波が生じる。そのため、図５に示すように、横軸を時間、縦軸をインピーダンスとして表した場合、インピーダンスの変化を示すＴＤＲ波形が得られる。【００５０】
図５に示すＴＤＲ波形のうちのインピーダンスが変化を示すまでの時間は、インピーダンス不整合が生じた位置とマイクロコンピュータモジュール３の方向性結合器１７との距離に比例している。そのため、演算器１９は、図６に例示したメモリ２０が記憶しているキーマップを参照して、ＴＤＲ波形のうちのインピーダンスが変化を示すまでの時間にもとづいて、どのキーが押下されたのかを判別することができる（図３に示すステップＳ１０７、Ｓ１０８）。【００５１】
そして、演算器１９は、判別した結果にもとづいて入力された指示を特定する。演算器１９は、特定した入力（押下）された指示（キー）を示す情報を、入力装置が搭載されている携帯端末等の制御手段に出力する。【００５２】
本実施の形態によれば、コプレーナ線路５が形成された基板６と、弾性のあるキーシート１とでキー入力装置が構成されている。従って、図１１に示すようなドーム型の凹部が不要になる。よって、キー入力装置を薄型化することができる。【００５３】
また、本実施の形態によれば、基板６に形成されたコプレーナ線路５のインピーダンスの変化にもとづいてどのキーが押下されたのかを判断するので、キーの下部には他の装置等を備える必要がなく、キー入力装置を薄型化することができる。【００５４】
また、本実施の形態によれば、基板６に形成されたコプレーナ線路５とキーシート１との間に機械的なスイッチ構造が存在しない。従って、キー入力装置には、機械的な摩耗による劣化や故障を生じないという効果がある。また、基板６に形成されたコプレーナ線路５とキーシート１との間に異物や水等が侵入しても、接触不良等の動作不良を生じないという効果がある。【００５５】
なお、キーシート１に代えて、キーの位置が示されている絶縁性のフィルム２３が基板６のコプレーナ線路５が形成されている面に設置されてもよい。図９は、キーシート１に代えて、キーの位置が示されているフィルム２３が基板６のコプレーナ線路５が形成されている面に設置された場合のキー入力装置を示す斜視図である。【００５６】
フィルム２３が基板６のコプレーナ線路５が形成されている面に設置された場合にも、フィルム２３に指等が接すると、指等が接した位置の周辺の誘電率が変化し、インピーダンス不整合が生じる。そのため、コプレーナ線路５における指等が接した位置で反射波が生じ、マイクロコンピュータモジュール３は、反射波にもとづいてＴＤＲ波形を得て、どのキーに指等が接したのかを判別することができる。【００５７】
キーの位置が示されているフィルム２３が基板６のコプレーナ線路５が形成されている面に設置された場合には、キーシート１を用いた場合に比べて、さらにキー入力装置を薄型化することができる。なお、フィルム２３は、耐久性が高いことが望ましい。【００５８】
また、コプレーナ線路５は、円形に形成されている部分２２があってもよい。図１０は、コプレーナ線路５の一部が円形に形成されているキー入力装置を示す斜視図である。コプレーナ線路５の円形に形成されている部分２２に対応するキーシート１の部分が指でなぞられると、なぞられた部分でインピーダンス不整合が生じる。そして、その指の動きに応じて、インピーダンス不整合が生じる位置が変化する。そのため、マイクロコンピュータモジュール３が、インピーダンス不整合が生じた位置の変化にもとづいて指の動きを判別すれば、キー入力装置は、円盤型の操作部を備えることができる。【００５９】
なお、演算器（演算手段）１９が、信号検波器（反射波検出手段）１８が検出した反射波にもとづいて、操作がなされた操作位置を判別するとは、演算器１９が、信号検波器１８が反射波を検出するまでの時間を測定し、測定した時間にもとづいて信号検波器１８と操作がなされた操作位置との距離を算出して操作がなされた操作位置を判別することをいう。【００６０】
演算器１９が、信号発信器（信号発信手段）１６が出力した信号の信号強度と、信号検波器（反射波検出手段）１８が検出した反射波の信号強度とにもとづいて、操作がなされた操作位置を判別するとは、演算器１９が、信号発信器１６が出力した信号の信号強度と、信号検波器（反射波検出手段）１８が検出した反射波の信号強度とを比較し、信号発信器１６が出力した信号の信号強度と異なる信号強度の信号を信号検波器１８が検出したタイミングで信号検波器１８が反射波を検出したと判断し、信号検波器１８が反射波を検出するまでの時間にもとづいて信号検波器１８と操作がなされた操作位置との距離を算出して操作がなされた操作位置を判別することをいう。【００６１】
演算器１９が、信号発信器１６が出力した信号の信号強度と、信号検波器１８が検出した反射波の信号強度とにもとづいて時間領域反射率測定を行うとは、演算器１９が、信号発信器１６が周波数を変化させて出力した信号の信号強度と、信号検波器１８が検出した反射波が含む各周波数の信号の信号強度とを比較して周波数領域反射率を算出し、算出した周波数領域反射率を逆フーリエ変換して時間領域反射率測定を行うことをいう。【００６２】
演算器１９が、時間領域反射率測定の結果であるＴＤＲ結果にもとづいて、操作がなされた操作位置を判別するとは、演算器１９が、時間領域反射率が変化したタイミングにもとづいて信号検波器１８と操作がなされた操作位置との距離を算出して操作がなされた操作位置を判別することをいう。【００６３】
演算器１９が、記憶手段が記憶しているテーブルとＴＤＲ結果とにもとづいて、入力された指示を特定するとは、演算器１９が、時間領域反射率が変化したタイミングと、入力された指示とを対応づけるテーブルを参照して、時間領域反射率が変化したタイミングに応じた指示が、入力された指示であると判断することをいう。
【産業上の利用可能性】
【００６４】
本発明は、携帯端末等の入力装置に利用することができる。
【図１】
0005298848.tif 000002
【図２】
0005298848.tif 000003
【図３】
0005298848.tif 000004
【図４】
0005298848.tif 000005
【図５】
0005298848.tif 000006
【図６】
0005298848.tif 000007
【図７】
0005298848.tif 000008
【図８】
0005298848.tif 000009
【図９】
0005298848.tif 000010
【図１０】
0005298848.tif 000011
【図１１】
0005298848.tif 000012
【図１２】
0005298848.tif 000013